(57)【要約】  【課題】中央役物の横方向への拡大化を阻害することなく遊技盤裏面のスペースを最大限に有効利用することができ、遊技者の興趣を高めることができるパチンコ遊技機を提供する。  【解決手段】上下左右側枠体２６〜２９により方形枠状に形成される外枠１と、前記外枠１の前面に開閉自在に装着される中枠２と、前記中枠２に設けられ遊技球を貯留する受皿７と、前記受皿７に遊技球を払出す払出手段１２と、を備えたパチンコ遊技機であって、前記左右側枠体２８，２９の少なくとも一方の枠体に前記払出手段１２を収納する収容空間部３８を形成すると共に遊技球が流出する導出口４１を設け、前記中枠２に前記受皿７に遊技球を導く誘導樋１６を設けると共に前記導出口４１に連通する流入口１７を開設し、前記中枠２の閉鎖時に前記導出口４１と流入口１７が連通する連通部の近傍に該中枠２の開放時に該導出口４１からの球零れを防止する球零れ防止手段４５を設けた。  【選択図】    図４
2007185408.tif 000002
【特許請求の範囲】
【請求項１】
上下左右側枠体により方形枠状に形成される外枠と、前記外枠の前面にヒンジ機構を介して開閉自在に装着される中枠と、前記中枠に設けられ遊技球を貯留する受皿と、前記受皿に遊技球を払出す払出手段と、を備えたパチンコ遊技機であって、
前記左右側枠体の少なくとも一方の枠体に前記払出手段を収納する収容空間部を形成すると共に該払出手段から払出された遊技球が流出する導出口を設け、前記中枠に前記受皿に遊技球を導く誘導樋を設けると共に前記導出口に連通する流入口を開設し、前記中枠の閉鎖時に前記導出口と流入口が連通する連通部の近傍に該中枠の開放時に該導出口からの球零れを防止する球零れ防止手段を設けたことを特徴とするパチンコ遊技機。
【請求項２】
前記球零れ防止手段は前記導出口を閉鎖する可動部材を有し、前記可動部材は前記中枠の閉鎖動作により接触し前記導出口を開放するガイド部を有することを特徴とする請求項１記載のパチンコ遊技機。
【請求項３】
前記球零れ防止手段は、前記導出口を閉鎖する可動部材と、前記中枠の閉鎖動作により前記可動部材に接触し前記導出口を開放させる作動部材とを備えたことを特徴とする請求項１又は２記載のパチンコ遊技機。
【請求項４】
前記球零れ防止手段は前記可動部材を前記導出口の閉鎖方向に付勢する付勢部材を備えたことを特徴とする請求項２又は３記載のパチンコ遊技機。
【請求項５】
前記球零れ防止手段は前記連結口近傍に設けられる貯留球を検出する検出手段と、前記検出手段の検出により前記払出手段による払出しを停止する制御手段と、前記払出手段の停止に伴う未払いの遊技球数を記憶する記憶手段とを備えたことを特徴とする請求項１記載のパチンコ遊技機。
【発明の詳細な説明】
【技術分野】
【０００１】
本発明はパチンコ遊技機に関し、特に遊技球を払出す払出手段を備えたパチンコ遊技機に関する。
【背景技術】
【０００２】
従来のパチンコ遊技機は、外枠に遊技盤を備えた中枠が開閉自在に設けられると共にその前面に遊技盤を視認し得る開口窓にガラス板を装着したガラス扉枠が蝶着されている。また、中枠の裏面には所定量の遊技球を貯留する球タンク及び球タンクの遊技球を賞球又は貸球として払出す球払出装置等の機構部品を備えた機構板が装着されている。そして、遊技盤の遊技領域には液晶表示器等の中央役物，入賞口が配置されると共に障碍釘が打設され、入賞口への入賞により球払出装置から賞球が払出されるようになっている。近年では遊技の趣向性をさらに高めるために中央役物を大型化したパチンコ遊技機が提案されている（例えば、特許文献１参照。）。
【０００３】
しかし、遊技盤の後方に突出する中央役物を大型化するには機構部品が邪魔になるため、中央役物の拡大化に対応するように遊技盤取付枠の枠部材の枠幅内に景品球払出機構を設けたパチンコ遊技機が提案されている（例えば、特許文献２参照。）。
【０００４】
【特許文献１】特開２００１−２０４９０８号公報
【特許文献２】特開平７−３１７３９号公報
【発明の開示】
【発明が解決しようとする課題】
【０００５】
しかしながら、特許文献２に示すパチンコ遊技機は、ある程度の横方向の拡大は可能であるものの、依然として景品球払出機構を中枠に設けているため横方向の拡大化には限度があった。しかも貯留される遊技球の荷重が中枠にかかるため、ヒンジ機構の負担は軽減されることはなく、頑強なヒンジ機構とする必要がありコスト高の要因となっていた。
【０００６】
本発明はこのような従来技術の問題点を解消する遊技機を提供するものであって、その目的は、中央役物の拡大化を阻害することなく遊技盤裏面のスペースを最大限に有効利用することができ、遊技者の興趣を高めることができるパチンコ遊技機を提供することにある。
【課題を解決するための手段】
【０００７】
本発明の請求項１の発明は、上下左右側枠体により方形枠状に形成される外枠と、前記外枠の前面にヒンジ機構を介して開閉自在に装着される中枠と、前記中枠に設けられ遊技球を貯留する受皿と、前記受皿に遊技球を払出す払出手段と、を備えたパチンコ遊技機であって、前記左右側枠体の少なくとも一方の枠体に前記払出手段を収納する収容空間部を形成すると共に該払出手段から払出された遊技球が流出する導出口を設け、前記中枠に前記受皿に遊技球を導く誘導樋を設けると共に前記導出口に連通する流入口を開設し、前記中枠の閉鎖時に前記導出口と流入口が連通する連通部の近傍に該中枠の開放時に該導出口からの球零れを防止する球零れ防止手段を設けたことを特徴とする。球零れ防止手段を設けたことにより、中枠の開放時に導出口から遊技球が零れることがないため遊技者が損害を被ることはない。ここでいう「連通部の近傍」には、導出口及び流入口を含む。
【０００８】
請求項２記載の発明は、請求項１記載の発明において、前記球零れ防止手段は前記導出口を閉鎖する可動部材を有し、前記可動部材は前記中枠の閉鎖動作により接触し前記導出口を開放するガイド部を有することを特徴とする。可動部材の可動態様は限定されるものではなく、スライド式，回動式，揺動式等を含み、可動方向も限定されるものではなく前後左右上下方向いずれの方向に可動するようにしてもよい。
【０００９】
請求項３記載の発明は、請求項１又は２記載の発明において、前記球零れ防止手段は、前記導出口を閉鎖する可動部材と、前記中枠の閉鎖動作により前記可動部材に接触し前記導出口を開放させる作動部材とを備えたことを特徴とする。
【００１０】
請求項４記載の発明は、請求項２又３は記載の発明において、前記球零れ防止手段は前記可動部材を前記導出口の閉鎖方向に付勢する付勢部材を備えたことを特徴とする。
【００１１】
請求項５記載の発明は、請求項１記載の発明において、前記球零れ防止手段は前記連結口近傍に設けられる貯留球を検出する検出手段と、前記検出手段の検出により前記払出手段による払出しを停止する制御手段と、前記払出手段の停止に伴う未払いの遊技球数を記憶する記憶手段とを備えたことを特徴とする。前記払出制御手段は有価情報に基づいて払出す貸球指令と入賞に基づいて払出す賞球指令と行う。さらに、未払い状態を報知する報知手段を設けるのが好ましい。
【００１２】
前記球零れ防止手段は、導出口と流入口とを伸縮自在の通路部材で連結するようにしてもよい。通路部材は入子型，蛇腹・コイルスプリング等で構成し、両端を導出口及び流入口のそれぞれに固着すればよい。このとき、導出口と流入口とは導出口を上位置として高さ位置を違えて所定の高低差を生じるように設けるのが好ましい。
【００１３】
前記払出手段は供給通路と、前記供給通路に臨み遊技球の払出しを制御する払出制御体と、前記払出制御体を制御する電気的駆動源と、払出される遊技球を検知する検知手段を備える。前記供給通路は側枠のベース板に沿って設けるのが好ましい。
【００１４】
また、払出手段を設けた側枠体に該払出手段に遊技球を供給する供給通路樋を設けるのが好ましく、さらに払出手段から払出された遊技球を排出する排出通路樋を設け該排出通路樋に前記導出口を設けるのがよい。
【００１５】
また、前記上枠体に遊技球を所定量貯留する収容空間部を形成すると共に遊技球を整流して前記払出手段に供給する整流路を設けるようにしてもよい。さらに、遊技球を貯留する収容空間部に連通して補給経路から遊技球を補給する補給管を接続する接続口を設けるのが好ましい。
【００１６】
また、前記上下左右側枠体の少なくともいずれかの枠体に電気機器を制御する制御基板及び電源基板等の電気基板を収納し得る収容空間部を形成するのが好ましい。ここでいう「電気基板」とは、電気の配線，回路を備えた基板を意味し、ＣＰＵ，ＲＯＭ，ＲＷＭ（ＲＡＭ）等が実装され遊技動作，効果音，電飾，遊技媒体の払出し等を制御する制御基板及び電源基板のほかに、電気部品への信号配線を中継する中継基板，遊技情報を外部に出力する端子基板等も含まれる。また、「電気機器」とは、通電することにより機能を果たすものであり、例えば遊技を司る表示装置，ソレノイド・モータ等の電気的駆動源を使用した役物，音声を発するスピーカ，ランプ等の光源，遊技球を払出す球払出装置，電気的に遊技球を発射する発射装置等である。
【００１７】
前記側枠体は金属のベース板を内方コ字状に屈曲することにより収容空間部を形成するのが好ましい。
【００１８】
また、前記収容空間部に仕切部材を設け、前記電気基板を個々に収納する収納室を複数形成してもよい。ここでいう「仕切部材」とは、電気基板を個々に収納する収納室を区画する部材であり、形状に限定されるものではなく連続する壁状のものであっても、基板を離間させる突起状のものであってもよい。
【００１９】
前記収容空間部を構成する枠体の少なくとも一側は前記電気基板が視認可能な透明カバー体で構成するのが好ましい。
【００２０】
また、前記収容空間部を構成する枠体の内側面に電気基板と電気的に接続する回路手段を設けるのがよい。回路手段は例えばプリント配線である。
【００２１】
前記回路手段に電気基板の差込により接続される配線コネクタを設けて、接続作業を容易とするのがよい。
【００２２】
前記側枠体のベースに基板の取付部を設けると共に該取付部に基板を取付け、前記基板が視認可能に構成されたカバー体で被覆し封止するようにしてもよい。ベースは金属ベースが好ましく、強固で確実に基板を保護することができると共に静電気の弊害を防ぐことができる。
【００２３】
前記電気基板は保護ケースに収納されると共に配線の接続部となる基板の一部をケースから突出させるのが好ましい。そして、外枠に対して中枠を開放した状態において接続部が視認可能とするのがよい。
【００２４】
前記収容空間部に放熱手段を設けるのが好ましく、放熱手段は例えば通気孔であり、モータにより回転するファンである。収納室を複数設けた場合には隣設する収納室と連通する通気孔を設けるのが好ましい。
【発明の効果】
【００２５】
本発明は、外枠の側枠部材に遊技球を払出す払出手段を設けると共に中枠の開放時に中枠と外枠との連通部からの球零れを防止する球零れ防止手段を設けたことにより、中央役物の設置領域を遊技盤の横方向に限りなく拡大させることができると共に遊技中に点検等で中枠を開放しても球零れ等の不具合を起こすことはなく、遊技者が損害を被ることのないパチンコ遊技機を提供することができる。
【発明を実施するための最良の形態】
【００２６】
本発明の遊技機としてパチンコ球を遊技媒体とするパチンコ遊技機について図面を参照して説明する。図１はパチンコ遊技機の正面図、図２はパチンコ遊技機の裏面図である。パチンコ遊技機は、矩形状の外枠１の前面に遊技盤４を備えた中枠２がヒンジ機構３を介して水平方向へ片開き自在に蝶着され、その前面に遊技盤４が視認できる窓孔６５を開設した前面扉５が正面左側を枢支して開閉自在に設けられている。中枠２及び前面扉５は開放端が施錠機構６により施錠され、施錠機構６の解錠操作により中枠２及び前面扉５が開放されるように構成されている。前面扉５の下部には遊技球が貯留される供給皿を備えた上受皿７が飾り板を介して開閉自在に設けられ、その上受皿７の下部には上受皿７の余剰球が貯留される貯留皿と灰皿を備えた下受皿９が設けられている。また、下受皿９の右側方には打力を調整する発射ハンドル１０が設けられ、遊技者による発射ハンドル１０の操作量に応じた速度で打球が発射されるように制御の中枢をなすＣＰＵやその他ＲＯＭ，ＲＡＭ，各種ポート等を備えた発射制御基板４９によって発射モータの制御が行われる。なお、実施例において受皿を上下に設けるようにしたが、上受皿７及び下受皿９の機能を備えた受皿を１つ設けるようにしてもよい。
【００２７】
遊技盤４は、所定の厚みを有する方形状に形成されると共にガイドレール２０によって略円形の遊技領域４ａが形成され、この遊技領域４ａのほぼ中央に図柄，数字を変動表示する表示部を備えた中央役物としての可変表示装置２１が設けられている。また、他の遊技領域４ａには始動入賞口２２，可変入賞装置２３，一般入賞口２４等の盤面部品が設けられ、遊技領域４ａの最下方には入賞口に入賞しなかった遊技球が流入するアウト球口２５が穿設されている。また、遊技盤４の裏面には透光性を有するカバー部材９６が遊技盤４の裏面を覆うように設けられ、カバー部材９６の内面に遊技全般を制御する主制御基板７５及び可変表示装置２１の図柄表示等を変動制御する演出制御基板７６が実装面を視認し得るように設けられている。主制御基板７５は遊技全般を制御する主制御手段及び遊技に関する情報を記憶する記憶手段を備えており、具体的には主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を備えている。
【００２８】
前面扉５は、図１に示すように全体がパチンコ遊技機の上半分程度の大きさでほぼ方形状に形成され、遊技盤４の前面に位置して遊技領域４ａが視認できる窓孔６５を有している。また、前面扉５は、図３に示すように遊技者に視認される飾り枠となる表枠体６６と、装飾部材としての図柄意匠を描いた意匠シート６７と、第一透明板６８を備えた裏枠体６９とで大略構成されている。なお、装飾部材はシート状に限定されるものではなく、キャラクター等を立体に形成したものであっても照明手段であってもよい。また、キャラクター等を電気的に可動するように設けて演出制御基板７６により制御するようにしてもよい。このように意匠シート６７（装飾部材）を着脱自在に設けることで、前面扉５のデザイン替えを簡単に行うことができる。
【００２９】
表枠体６６は、透光性を有する合成樹脂材（ポリカーボネートやアクリル，ポリエチレン等）により方形状に形成され、図３に示すように飾り枠６６ａのほぼ中央に所定の奥行きを有する短筒状に形成される窓孔６５を形成すると共に窓孔６５の上部に膨出部６６ｃが形成されている。また、窓孔６５の上下両側には円形の開口７０を開設し、下方の開口７０から遊技盤４に設けられる証紙及び意匠シート６７に設けられた文字情報等を符号化した情報付与手段としての光学的情報コードが視認できる。光学的情報コードとは、例えば明（白）又は暗（黒）のセルにて構成されるＱＲコード（登録商標）等の縦、横二方向に情報を持つ二次元コードであり、携帯電話等の端末機により光学的情報コードを読み取って遊技機，ホール等の各種情報を確認することができる。
【００３０】
裏枠体６９は、ポリカーボネートやアクリル，ポリエチレン等の透明な合成樹脂材で形成され、図３及び図５に示すように表枠体６６より一回り小さい方形状の板部６９ａに開口窓６５より開口が大径であり所定の奥行きを有する方形箱枠６９ｂを形成すると共に遊技盤４との間に遊技領域４ａを形成する第一透明板６８を一体に設けている。なお、第一透明板６８の遊技盤４側の側面にシリコン樹脂等のコーティングにより耐磨耗処理を施して、遊技球の接触により表面に傷が付かないようにしている。箱枠６９ｂ内には、奥部に位置する第一透明板６８から所定間隔を隔てて第二透明板７１の位置決め手段となる段部７２が形成され、ガラス等の透視性を有する方形状の第二透明板７１が配設される。また、裏枠体６９には、表枠体６６の膨出部６６ｃに臨む照明表示装置としてＬＥＤランプ７３が設けられると共に上部開口７０に臨んで効果音等を発生させるスピーカ７４が設けられている。スピーカ７４及びＬＥＤランプ７３は音声・ランプ制御基板５０によって制御され、スピーカ７４により遊技動作に応じた効果音を発生したり、遊技機を電気的に装飾するＬＥＤランプ７３が遊技状態の変化に応じて点滅し遊技機の装飾性を高めると共に、そのランプ７３の表示状態に応じて遊技者にゲームの進行状態を知らせたりするようになっている。音声ランプ制御基板５０は、主制御基板７５からの指示に従い音声やランプ表示の制御を司るＣＰＵや、その他ＲＯＭ、ＲＷＭ（ＲＡＭ）、各種ポート等を備えている。なお、実施例において音声・ランプ制御基板５０を１枚の基板としたが、音声及びランプの制御基板をそれぞれ別個に設けるようにしてもよい。
【００３１】
また、裏枠体６９に前面扉５を閉鎖した際に外部からの異物の侵入を防止する不正防止機能を果たす不正防止手段を設けている。具体的には図３に示すように、裏枠体６９と一体に成形した第一透明板６８に不正防止手段として所定の高さを有する突条のリブ壁７７が遊技領域４ａを囲繞するように周設されている。このリブ壁７７は、図５に示すように前面扉５を閉鎖した際に先端が中枠２側の遊技盤４に近接すると共にガイドレール２０に重なるように近接して、リブ壁７７とガイドレール２０間にピアノ線等の不正具が入る隙間がなく、遊技領域４ａを閉塞状態として外部から異物が進入することはない。このように第一透明板６８を裏枠体６９と一体に成形すると共に遊技領域４ａを囲い込むようにリブ壁７７を設けることにより、従来のようにガラス板と前面扉の隙間からピアノ線等の不正具を遊技領域４ａ内へ進入させて行われていた不正行為を確実に防止することができる。また、第一透明板６８に突条のリブ壁７７を設けることにより、第一透明板６８の撓みを防止することもでき、撓みによる遊技領域４ａの視認性，遊技球の流下等の不具合を防止することができる。
【００３２】
上記構成の前面扉５は、飾り枠６６ａの裏面に意匠シート６７を配設すると共に裏枠体６９の位置決め段部７２に第二透明板７１を位置させ、表枠体６６と裏枠体６９とで挟持して、ビス等の取付け具又は係止爪等の係止手段を係合させることにより組立てられる。このとき、裏枠体６９の裏面に不正防止及び補強を兼ねた薄い鉄板を配設するようにしてもよい。なお、第二透明板７１の装着手段は、表枠体６６と裏枠体６９の挟着に限定されるものではなく、裏枠体６９又は表枠体６６に上又は左右方向の差込溝を形成して第二透明板７１を差込溝に装着するようにしてもよい。
【００３３】
中枠２は、一側上下に外枠１に蝶着されるヒンジ機構３の可動ヒンジ部材３ａ，３ａを設けている。そして、中枠２には遊技盤４を装着する遊技盤支持枠１１が形成されると共にその一側に先端が鈎状に形成された施錠フック６ａを備えた施錠機構６が設けられ、中枠２の裏面下方には供給及び排出される遊技球が流下する樋基板１３が設けられている。樋基板１３には入賞した遊技球を集める集合樋１４及び遊技盤４に打ち込まれた遊技球を回収する回収樋１５が設けられると共に、後述する球払出装置１２から払出された遊技球を上受皿７に導く誘導樋１６が設けられている。誘導樋１６の側壁には遊技球を受け入れる流入口１７が形成され、上受皿７からの溢れ球を下受皿９に導く溢出樋１８が設けられると共に図７に示すように流入口１７の近傍に貯留した遊技球の有無を検出するセンサ１９が設けられている。
【００３４】
前記外枠１は、図２及び図４に示すように所定の厚みを有する上下枠体２６，２７と左右側枠体２８，２９を個々独立に成形して構成され、左右側枠体２８，２９の下部の前面に飾り板３０が架設される。
【００３５】
上枠体２６は、図４及び図６に示すように金属のベース板２６ａを外方に屈曲して所定の深さ及び幅を有する遊技球の収容空間部として貯留部３１が上面開放の箱型に形成され、その両側に左右側枠体２８，２９の上部を跨ぐ鉤状の支持片３２が設けられている。貯留部３１の底部は左側枠体２８に向かって緩やかに傾斜しており、下流側に貯留部３１の遊技球を一列に整流させる整流路３４が球崩し部３３により形成され、整流端に球流出口３５が開設されている。上枠体２６にはパチンコ遊技機をホールに設置するための打釘可能な設置用固定部３６が設けられており、球崩し部３３も設置用固定部３６の一部をなしている。また、上枠体２６の後側面に貯留部３１に連通する供給口３７が設けられ、供給口３７に図示しない遊技球の補給経路から蛇腹等のフレキシブルな補給管Ｈが直接接続され、遊技球が貯留部３１に補給され整流路３４に導かれる。さらに、供給口３７と対向する貯留部３１の内側に、供給口３７から流入する遊技球を下流側の整流路３４に誘導する弧状の誘導壁３６ａが設けられ、底壁に球切れ検知板６０が揺動自在に設けられている。なお、上枠体２６を金属板により形成するようにしたが、主原料として木の廃材及び木質系材料をチップ状に砕き、合成樹脂・接着剤等と混練して所定の厚みに固めて形成してもよく、打釘可能な設置用固定部３６を一体に設けることができる。このとき、貯留部３１の内面に静電気除去及び磨耗防止のために薄い金属板等を貼設するのが好ましい。また、貯留部３１の開放部は蓋部材等で閉塞するようにしてもよく、貯留部３１から球零れが発生する事態を防止することができる。なお、上枠体２６を他の側枠２７〜２９と同幅としたが、上枠体２６を他の側枠２７〜２９より後方に突出する奥行き幅として貯留部３１を形成するようにしてもよく、適度な深さで多量の貯留量を確保でき、しかも遊技盤４の裏面側に突出する中央役物の大型化に寄与すると共に中央役物の上部を保護することができる。また、遊技球を補給経路から直接貯留部３１に供給することなく、貯留部３１の球貯留量が減少すると遊技球が補給経路から貯留部３１に再び供給される貯留量検出機構を介して補給するようにしてもよい。
【００３６】
左右側枠体２８，２９及び下枠体２７は、図４に示すように金属のベース板２７ａ〜２９ａを内方にコ字型に屈曲して所定の厚みを有する収容空間部３８が形成されている。そして、下枠体２７及び左右側枠体２８，２９の収容空間部３８には各種電気基板が収容され、金属の基板ベース２７ａ〜２９ａを収容空間部３８内に突出するように切り起こした位置決め片５５を仕切部材として収納室３８ａが区画形成されている。実施例において、左側枠体２８の下方に払出制御基板４８及び発射制御基板４９が収納され、右側枠体２９には音声・ランプ制御基板５０及び音声・ランプドライブ基板５１が収納され、下枠体２７には各種制御基板４８（４９〜５１）等で要する所定の電源電圧が生成され出力される電源基板５２が収納されている。各電気基板４８（４９〜５２）は図１０に示すように基板ボックスＢに収納され、基板ボックスＢは基板を支持する金属製の主体５３と、基板の各電子部品実装面を被覆するカバー体５４とから構成され、主体５３の底面には、基板を止着するための取付ボスが突出形成されている。基板ボックスＢは、主体５３の一側に形成された係止片５３ａを基板ベース２７ａ〜２９ａの係合孔９５に係止すると共に他側に形成された基板ボックスＢの取付片５４ａ及び位置決め片５５を屈曲して形成した取着片５５ａに係止具５６を係合させることにより枠体２７〜２９に取付けられる。このとき、各電気基板４８（４９〜５２）に設けられる配線の接続部となるコネクタ部をケースから突出させ、外枠１に対して中枠２を開放した状態においてコネクタ部が視認可能とするのが好ましい。なお、基板ボックスＢは、ビス着等他の取付手段により取付けるようにしてもよい。また、右側枠体２９に収納された電気基板の配線は、下枠体２７（飾り板３０）に沿って配設される補強用の中空状横桟５７内に収納されて、ヒンジ機構３側の左側枠体２８で中枠２側の配線と接続され、中枠２を支障なく開閉することができる。このように、配線の接続箇所をヒンジ機構３側にまとめることで配線の作業性を向上させることができる。また、枠体２７〜２９を基板ボックスＢの主体５３として、枠体２７〜２９に各基板４８（４９〜５２）を直接取付けて、基板を視認可能に構成したカバー体５４で覆い封止することで枠体２７〜２９自体を基板ボックスとしてもよい。枠体２７〜２９に複数の基板を備える場合には、基板を離間させる区画壁を設けるのが好ましく、区画壁を設けることにより枠体２７〜２９の補強とすることができる。また、カバー体５４を電気基板が視認可能な構成とすることで、中枠２の開放時に外枠１に設けられた基板の実装面すべてが視認可能となり、基板に対する不正改造が容易に発見できると共に基板に対する不正防止と保守点検作業の容易化を図ることができる。
【００３７】
右側枠体２９には施錠機構６の上下フック６ａ，６ａが係止する係止部３９，３９が切り起しにより一体に形成され、左側枠体２８にはヒンジ機構３の固定ヒンジ部材３ｂ，３ｂが一体に設けられている。また、左側枠体２８の収容空間部３８に貸球又は賞球として所定数の遊技球を払出す払出手段として球払出装置１２を設けると共に、上枠体２６の球流出口３５と位置整合して貯留部３１からの遊技球を導入する導入口３９が開設された供給通路樋４０及び流入口１７と連通し球払出装置１２から払出された遊技球を中枠２の上受皿７に導く導出口４１が開設された排出通路樋４２とを設けている。流入口１７及び導入口３９はそれぞれ導出口４１及び球流出口３５より拡径して形成され、中枠２のひずみ又は成形等により導入口３９と球流出口３５又は流入口１７と導出口４１との位置関係にズレが生じてもその連通部で球止まりが発生しないようにしている。球払出装置１２は制御の中枢をなすＣＰＵや、その他ＲＯＭ、ＲＡＭ、各種ポート等が実装された払出制御基板４８により賞球・貸球等の遊技球の払出しが制御され、払出制御基板４８は主制御基板７５からの制御信号（払出制御用のコマンド信号）に基づいて制御される。球払出装置１２を側枠体２８に設けることにより、中枠２を開放するだけで球払出装置１２内の球詰まり等のトラブルに即応できると共に、球払出装置１２の交換も容易に行うことができる。
【００３８】
球払出装置１２は、図９に示すように供給通路４０ａの最先の遊技球を制御する払出制御体４３と払出制御体４３を電気的に制御する電気的駆動源４４とで大略構成され、ケース体４６に払出された遊技球を検知してカウントする検知手段としてのセンサ４５を備えている。この実施例において払出制御体４３は円盤状の樹脂板の周囲に遊技球を１個受け入れる球受部４３ａを複数設けたスプロケットタイプの回転体であり、電気的駆動源としての電磁石４４の消励磁によりストッパー４４ａが回転体４３の回転範囲に進退することにより回転を制御している。つまり、払出制御基板４８からの払出信号により電磁石４４が励磁して、図９鎖線に示すようにストッパー４４ａが回転体４３の回転範囲から後退して回転体４３がフリーとなり、球荷重により回転体４３が回転して遊技球を排出通路４２ａに払出す。そして、センサ４５により所定個数の遊技球が計数されると電磁石４４が消磁して、同図実線に示すようにストッパー４４ａが回転体４３の回転範囲に入り込み、球受部４３ａに係止して回転体４３を停止させる。なお、供給通路４０ａ及び排出通路４２ａは外枠１の外側面に平行なベース板２８ａに沿って蛇行して設けられ、払出制御体４３も同様にベース板２８ａに沿って可動するように設けられているため、薄型の枠体内で払出処理が確実に行われる。
【００３９】
払出手段としての球払出装置１２はこの実施例に限定されるものではなく、電気的駆動源を薄型モータ，ソレノイドとしても払出制御体４３を揺動又はスライド自在に設けて球止部が供給通路に進退して遊技球の払出しを制御するようにしてもよい。また、貯留部３１から複数条（例えば２条）で遊技球を供給するようにした場合には、供給通路４０ａに２条の球通路を１条に整流する整流装置を設けて球払出装置１２に１条で供給するようにすればよい。さらに球払出装置１２に供給通路樋４０及び排出通路樋４２を備えるようにしてもよく、このときケース体４６自体により側枠体を構成するようにしてもよい。
【００４０】
また、中枠２との連通部である導出口４１の近傍には中枠２を開放した際の球零れを防止する球零れ防止手段を設けている。本実施例において球零れ防止手段は、図７に示すように排出通路４２ａの終端底壁に可動部材４５を導出口４１側が揺動するように揺動軸４６に軸支して、付勢部材としてのねじりコイルばね４７を揺動軸４６に巻装して導出口４１と逆方向に下傾するように弾性的に付勢している。可動部材４５は、排出通路４２ａの底壁となる板状部４５ａと中枠２（誘導樋１６）との接触により板状部４５ａを導出口４１に向かって下傾させるガイド部４５ｂとを有して略へ字状に形成されている。そして、中枠２が閉鎖した状態では図７及び図８に示すようにガイド部４５ｂが誘導樋１６に接触して押されることにより可動部材４５が下向き回動し、球払出装置１２から払出された遊技球が誘導樋１６を介して開口７ａから上受皿７に導かれる。これに対して、図７鎖線に示すように中枠２を開放して誘導樋１６が導出口４１から離間するとガイド部４５ｂが中枠２（誘導樋１６）との接触から解放されコイルばね４７の付勢により可動部材４５の導出口４１側が上動して導出口４１からの球零れを防止する。このとき、誘導樋１６側の遊技球は誘導樋１６の底壁が受皿側に傾斜しているため流入口１７から零れ落ちることはなく、確実に開口７ａから上受皿７に導かれる。なお、可動部材４５の可動態様は揺動式に限定されるものではなく、スライド式又回動式であってもよく、スライド式とした場合には可動部材４５のがたつきを防止するガイド部材を設けるのが好ましい。さらに、可動部材４５の可動方向（軸支方向）も限定されるものではなく、前後左右上下方向いずれの方向に可動するようにしてもよい。また、可動部材４５を自重で下動するように設けた場合には必ずしも付勢部材を必要とすることはなく、中枠２（誘導樋１６）との接触により可動部材４５の荷重に抗して可動部材４５を上動させるようにすればよい。
【００４１】
また、右側枠体２９の前面内側に中枠２の開放を検知する検知装置６１が設けられており、検知装置６１の検知により中枠２の開放をランプ表示等により報知すると共に球払出装置１２の払出動作を停止させる。検知装置６１は中枠２からの押圧状態を検知することで外枠１と中枠２との閉鎖状態を検知する一方、中枠２からの押圧の解除状態を検知することで外枠１と中枠２との開放状態を検知する検知センサを備えている。なお、検知センサは光学式であってもマイクロスイッチ，リードスイッチであってもよい。中枠２の開放側である右側枠体２９の幅員内に中枠２の開放を検知する検知装置６１を設けることにより、中枠２を開放して行う不正に対して僅かな開放動作もすぐに反応し検知することができ、不正行為を未然に防止することができる。
【００４２】
上記のように構成された外枠１は、上下左右側枠体２６〜２９をビス，連結具等により方形枠状に組立てられ、上枠体２６に貯留された遊技球は、右側枠体２９に設けられた球払出装置１２により払出され、中枠２の誘導樋１６を介して上受皿７に導かれる。この実施例においてパチンコ遊技機は、右側枠体２９に球払出装置１２及び供給通路樋４０を設けることにより、遊技盤４の横方向のスペースを広く確保することができ、しかも球払出装置１２の動作中又は誘導樋１６に遊技球がある状態で中枠２を開放しても、球零れ防止手段により遊技者の所有球である遊技球が導出口４１から零れ落ちることがなく遊技者が損失を被ることがない。さらに、遊技球の貯留部３１を上枠体２７に形成することにより、遊技盤４の裏面上方に邪魔となるものがなくなり、中央役物を上方向に拡大する等スペースを有効利用することができると共にパチンコ遊技機に貯留される遊技球がすべて外枠１に貯留されるため、中枠２に荷重がかかることがなくヒンジ機構３への負荷も軽減される。また、貯留部３１は強固に組立てられた外枠１に設けられるため、撓み等の原因による球詰まりが発生することがなく、遊技を中断させ遊技者の興趣を削ぐことはない。
【００４３】
さらに、制御基板等の電気基板を外枠１を構成する枠体内に収納することにより、基板を保護することができると共に遊技盤４の裏面に嵩張るものがなくなり広いスペースを確保することができ、可変表示装置２１等の中央役物を拡大させることが可能となる。また、枠体内に再利用可能な制御基板等を収納することで、中枠２又は遊技盤４に設けられた最小限のものを交換するだけで、機種変更をすることが可能となる。このように、球払出装置１２，貯留部３１等の供給経路，再利用可能な制御基板等を外枠１の枠体内に収納することで、外枠１を予めホールの島に設備の一部として設置することもできるという副次的な効果を奏する。このとき、ヒンジ機構３及び施錠機構６を標準化することで、中枠２を交換するだけでデザイン変えした機種変更ができるため優れた経済効果を発揮する。
【００４４】
また、実施例のように外枠１を構成する枠体２６〜２９を金属のベース板２６ａ〜２９ａにより形成することで、静電気をアースして除去することができるため、電気基板にとって最も重要な静電気のノイズ問題を解決することができる。特に、ノイズ生起部材や発熱部材が実装されている電源基板５２を主制御基板７５と離した下枠体２７に設けているため、ノイズや熱の発生がＣＰＵ等に悪影響を及ぼすことを回避することができる。
【００４５】
なお、実施例において、外枠１の上枠体２６に収容空間部を形成して遊技球の貯留部３１としたが、貯留部３１を有する球タンクを別途上枠体２６に取着してその流出口と側枠体の導入口３９を連通させ、側枠体内に設けた球払出装置１２に遊技球を供給するようにしてもよい。また、遊技球の貯留部３１を設けることなく球払出装置１２を備えた側枠体２９の導入口３９に補給経路からの補給管Ｈを接続して、補給樋から払出手段に直接遊技球を供給するようにしてもよい。このとき、図１１に示すように上枠体２６に電気基板を収納する収容空間部３８を形成し、収容空間部３８にホール側の配線端子を接続する外部端子基板，電源端子基板７８等を収納するのが好ましい。例えば電源端子基板７８には、図１１に示すように電源スイッチ７９及びコードリールＣに巻装した電源コード８０が設けられ、電源スイッチ７９及び電源コード８０のプラグＰは上枠体２６の後面に形成した凹部８１に開設した開口部８２から臨ませて外枠１の外郭から外に張り出さないように凹部８１内に位置させている。外部端子基板，電源端子基板７８を上枠体２６内に設けた場合には、基板を保護した状態でしかも配線作業が行い易い位置に取付けることができる。また、コードリールＣを内装することで電源コード８０を枠体２６内に収納でき、搬送時に電源コード８０が露出することがないため断線したりする事故を引起すことがない。
【００４６】
図１２及び図１３は球零れ防止手段の他の実施例を示し、導出口４１を可動部材４５により直接閉鎖するようにしている。具体的には、可動部材４５は一端を排出通路樋４２に突設した揺動軸４６に軸支し、他端に導出口４１を閉鎖する球止部８５を有した薄板の棒状に形成され、自重で下動して導出口４１を閉鎖するようにしている。一方、中枠２に閉鎖動作により可動部材４５に接触し導出口４１を開放する作動部材８６を設けており、作動部材８６は排出通路樋４２の切り込み８７に入り込み、可動部材４５を上動させるテーパー部８６ａを有している。このように構成される球零れ防止手段は、中枠２を閉じた状態では、作動部材８６が図１３に示すように切り込み８７に入り込みテーパー部８６ａで可動部材４５を押し上げ、可動部材４５が図１２鎖線に示すように揺動軸４６を支点として上動し球止部８５が導出口４１を開放し導出口４１と流入口１７とが連通しており、球払出装置１２から払い出される遊技球が導出口４１から誘導樋１６に流出可能な状態となっている。また、中枠２を開放して誘導樋１６が導出口４１から離間すると、作動部材８６が切り込み８７から後退してそれに伴って可動部材４５が揺動軸４６を支点として自重で下動し、球止部８５が導出口４１を閉鎖し球払出装置１２から払い出される遊技球が導出口４１から流出するのを防止する。なお、可動部材４５を付勢部材により導出口４１の閉鎖方向に強制的に付勢するようにして、作動部材８６が付勢部材の付勢に抗して可動部材４５を上動して導出口４１を開放させるようにしてもよい。このように、導出口４１と流入口１７が連通する連通部に球零れ防止手段を設けることにより、中枠２が閉鎖しているときには導出口４１を開いた状態とし、中枠２が開放しているときには導出口４１を閉じた状態にとして、確実に球零れを防止することができる。
【００４７】
また、球零れ防止手段は前記実施例のように必ずしも機構的な構成を必要とするものではなく、流入口１７の近傍に設けたセンサ１９が貯留球を検出することにより払出制御基板４８から球払出装置１２の払出しを停止制御するようにしてもよい。このように球払出装置１２を制御することにより、誘導樋１６から導出口４１に跨って遊技球が貯留されることがないので、中枠２を開放しても球零れが生じることがなく遊技者に損失を与えることがない。このとき、球払出装置１２による未払いの遊技球を記憶手段に記憶し、誘導樋１６の貯留球が減少してセンサ１９で検出されなくなると球払出装置１２を作動させて記憶手段に記憶された遊技球を払出すようにするのがよい。さらに、中枠２の開放を検知する検知装置６１の検知により払出手段１２の払出しを停止制御するのが好ましく、遊技球の払出し中であっても中枠２を開放すると払出しが確実に停止されるため球零れが生じることがない。
【００４８】
また、球零れ防止手段は、中枠２の開放を検知する検知装置６１とソレノイド，モータ等の電気的駆動源により可動し導出口４１を閉鎖する可動部材４５とで構成し、検知装置６１の検知により電気的駆動源を駆動して可動部材４５を可動させ、導出口４１を閉鎖するようにしてもよい。電気的駆動源により強制的に導出口４１を閉鎖することで導出口４１からの球零れを確実に防止することができる。なお、この可動部材４５においても可動態様は限定されるものではなく、スライド式，回動式，揺動式等を含み、可動方向も限定されるものではなく前後左右上下方向いずれの方向に可動するようにしてもよい。
【００４９】
また、球零れ防止手段は、導出口４１と流入口１７とを入子型，蛇腹・コイルスプリング等の伸縮又は屈撓自在の通路部材で連結するようにしてもよく、通路部材の両端を導出口４１及び流入口１７のそれぞれに固着すればよい。このとき、導出口４１と流入口１７とは導出口４１を上位置として高さ位置を違えて所定の高低差を生じるように設けるのが好ましく、中枠２を開放しても球払出装置１２で払出した遊技球を確実に上受皿７に導くことができる。また、通路部材は上面開放した樋状であってもよいが、遊技球が確実に零れないようにするために筒状とするのが好ましい。通路部材を入子型とする際には、導出口４１側から流入口１７に向かって漸次拡径するように設定し、通路部材が入子式状に伸縮した際に段差により通路内で遊技球が止まらないようにするのがよい。また、通路部材の少なくとも流入口１７側の接続はワンタッチで接続できるコネクタを備えるのがよく、好ましくは外したコネクタを係止する係止部を導出口４１より上方位置に設け、例え通路部材を外す際に通路部材内に遊技球があったとしても零れ落ちることがない。このようにすることにより、中枠２を開放しても導出口４１と流入口１７とは伸縮自在の通路部材で連結されており、球払出装置１２により払出されている状態でも遊技者の遊技球が零れることなく、誘導樋１６を介して開口７ａから上受皿７に確実に払出され、遊技者が損害を被ることはない。
【図面の簡単な説明】
【００５０】
【図１】パチンコ遊技機の正面図である。
【図２】パチンコ遊技機の裏面図である。
【図３】前面扉の分解斜視図である。
【図４】外枠の分解斜視図である。
【図５】前面扉の要部平断面図である。
【図６】上枠体の平面図である。
【図７】側枠体の要部断面図である。
【図８】側枠体の要部平面図である。
【図９】球払出装置の断面図である。
【図１０】側枠体の要部断面図である。
【図１１】他の実施例を示す上枠体の要部平面図である。
【図１２】球零れ防止手段の他の実施例を示す要部斜視図である。
【図１３】図１２の要部断面図である。
【符号の説明】
【００５１】
１                外枠
２                中枠
３                ヒンジ機構
４                遊技盤
７                上受皿
１２              球払出装置（払出手段）
１６              誘導樋
１７              流入口
１９              センサ（検出手段）
２６              上枠体
２７              下枠体
２８              左側枠体
２９              右側枠体
３８              収容空間部
４１              導出口
４５              可動部材（球零れ防止手段）
４５ｂ            ガイド部
４７              ねじりコイルばね（付勢部材）
４８              払出制御基板（制御手段）
６１              検知装置（球零れ防止手段）
８６              作動部材
【図１】
2007185408.tif 000003
【図２】
2007185408.tif 000004
【図３】
2007185408.tif 000005
【図４】
2007185408.tif 000006
【図５】
2007185408.tif 000007
【図６】
2007185408.tif 000008
【図７】
2007185408.tif 000009
【図８】
2007185408.tif 000010
【図９】
2007185408.tif 000011
【図１０】
2007185408.tif 000012
【図１１】
2007185408.tif 000013
【図１２】
2007185408.tif 000014
【図１３】
2007185408.tif 000015